(57)【要約】【課題】表示のフレームレートを低下させることなくデジタルカメラの負荷を低下させる。【解決手段】デジタルカメラは、ライブビュー表示などを行うＥＶＦ２２を備えている。ＥＶＦ２２は、表示制御部２２０と２つのメモリ２２１，２２２とを備えている。全体処理部において画像生成レートで生成されるライブビュー画像は、ＥＶＦ２２に送信されるとメモリ２２１，２２２のいずれかに書き込まれる。そして、このメモリ２２１，２２２から画像表示レートで読み出されて表示パネル２２３に表示される。ライブビュー画像は一旦メモリに記憶された後に読み出されるようになっているため、画像生成レートと画像表示レートとは相互に拘束されなくなる。このため、画像表示レートを低下させることなく画像生成レートのみを低下させることができ、デジタルカメラの負荷を低下させることができる。【選択図】        図６
2004215145.tif 000002
【特許請求の範囲】
【請求項１】
被写体の画像を取得する撮像手段と、表示用画像を画面に表示する表示手段とを備えるデジタルカメラであって、
前記被写体の画像から前記表示用画像を生成する生成手段と、
前記表示用画像を記憶可能な記憶手段と、
前記生成手段が第１フレームレートで生成する前記表示用画像を、前記第１フレームレートで前記記憶手段に書き込む書込手段と、
前記記憶手段に記憶された前記表示用画像を第２フレームレートで読み出して、前記第２フレームレートで前記表示手段の画面に表示させる読出手段と、
を備え、
前記第１フレームレートは、前記第２フレームレートよりも低いことを特徴とするデジタルカメラ。
【請求項２】
請求項１に記載のデジタルカメラにおいて、
前記表示用画像は、カラーの画像であり、
前記表示手段の表示方式は、面順次方式であることを特徴とするデジタルカメラ。
【請求項３】
請求項１または２に記載のデジタルカメラにおいて、
前記表示手段は、
表示パネルと、
前記表示パネルに対して複数の原色光を選択的に順次に発光する光源と、
を備えることを特徴とするデジタルカメラ。
【請求項４】
請求項１に記載のデジタルカメラにおいて、
前記記憶手段は、１フレームの前記表示用画像をそれぞれ記憶可能な、少なくとも２つの記憶領域を有し、
前記書込手段は、前記２つの記憶領域を交互に書込対象として前記表示用画像の書き込みを行い、
前記読出手段は、前記２つの記憶領域のうち、直近に前記書込手段が書き込みを完了した記憶領域から、前記表示用画像を読み出すことを特徴とするデジタルカメラ。
【請求項５】
デジタルカメラから送信される表示用画像を画面に表示可能な表示装置であって、
前記表示用画像を記憶可能な記憶手段と、
前記デジタルカメラから第１フレームレートで送信される前記表示用画像を、前記第１フレームレートで前記記憶手段に書き込む書込手段と、
前記記憶手段に記憶された前記表示用画像を第２フレームレートで読み出して、前記第２フレームレートで前記画面に表示させる読出手段と、
を備え、
前記第１フレームレートは、前記第２フレームレートよりも低いことを特徴とする表示装置。
【発明の詳細な説明】
【０００１】
【発明の属する技術分野】
本発明は、デジタルカメラで取得される画像を表示する技術に関する。
【０００２】
【従来の技術】
従来より、デジタルカメラなどの撮像装置においては、ライブビュー表示等を行うための表示装置として、比較的小さな表示パネルに表示される画像を接眼レンズを介して視認可能にする電子ビューファインダが採用されている。また、近年では、表示方式として面順次（フィールドシーケンシャル）方式が採用された電子ビューファインダも知られている。
【０００３】
面順次方式とは、カラーの画像を表示する際に、互いに原色が相違する原色ごとの複数の画像（フィールド）を、時間的に切り替えつつ表示する方式である（特許文献１参照。）。例えば、カラー情報をＲ（赤）Ｇ（緑）Ｂ（青）の３原色で表現する場合には、Ｒのみの画像、Ｇのみの画像、Ｂのみの画像が順次に、１フレームを表示すべき周期の１／３の周期でそれぞれ表示される。このような面順次方式を採用すると、画面上の一つの画素で一つのカラー情報を表現することができるため、３つのサブ・ピクセル（画素）にて一つのカラー情報を表現する点順次方式と比較して画面の解像度の面で有利となり、表示装置の小型化も容易となる。
【０００４】
【特許文献１】
特開平１０−１２６８０２号公報
【０００５】
【発明が解決しようとする課題】
ところで、面順次方式の表示装置では、フレームレート（単位時間に１フレームの画像を扱う回数。表示装置では、画面を更新する回数。）が比較的低くなると、原色の残像が認識されて、動きのある被写体の輪郭等において色がずれて見えてしまうカラーブレイク（色割れ）と呼ばれる現象が生じる。このカラーブレイクを防止するためには、表示装置のフレームレートを比較的高く維持する必要がある。
【０００６】
このため、従来のデジタルカメラでは、電子ビューファインダのフレームレートを維持するために、このフレームレートと同一のフレームレートで表示用画像の生成、および、そのための被写体の画像の取得を行うようにしていた。すなわち、表示用画像の生成のフレームレートは、電子ビューファインダのフレームレートに拘束されていた。このことから、デジタルカメラが他の画像処理を行う必要があるときであっても、表示用画像の生成を所定のフレームレートで行わなければならず、デジタルカメラの負荷となり、動作速度の低下や消費電力の上昇といった問題が生じていた。
【０００７】
本発明は、上記課題に鑑みてなされたものであり、表示のフレームレートを低下させることなく、デジタルカメラの負荷を低下させることができる技術を提供することを目的とする。
【０００８】
【課題を解決するための手段】
上記課題を解決するため、請求項１の発明は、被写体の画像を取得する撮像手段と、表示用画像を画面に表示する表示手段とを備えるデジタルカメラであって、前記被写体の画像から前記表示用画像を生成する生成手段と、前記表示用画像を記憶可能な記憶手段と、前記生成手段が第１フレームレートで生成する前記表示用画像を、前記第１フレームレートで前記記憶手段に書き込む書込手段と、前記記憶手段に記憶された前記表示用画像を第２フレームレートで読み出して、前記第２フレームレートで前記表示手段の画面に表示させる読出手段と、を備え、前記第１フレームレートは、前記第２フレームレートよりも低いことを特徴とする。
【０００９】
また、請求項２の発明は、請求項１に記載のデジタルカメラにおいて、前記表示用画像は、カラーの画像であり、前記表示手段の表示方式は、面順次方式であることを特徴とする。
【００１０】
また、請求項３の発明は、請求項１または２に記載のデジタルカメラにおいて、前記表示手段は、表示パネルと、前記表示パネルに対して複数の原色光を選択的に順次に発光する光源と、を備えている。
【００１１】
また、請求項４の発明は、請求項１に記載のデジタルカメラにおいて、前記記憶手段は、１フレームの前記表示用画像をそれぞれ記憶可能な、少なくとも２つの記憶領域を有し、前記書込手段は、前記２つの記憶領域を交互に書込対象として前記表示用画像の書き込みを行い、前記読出手段は、前記２つの記憶領域のうち、直近に前記書込手段が書き込みを完了した記憶領域から、前記表示用画像を読み出すことを特徴とする。
【００１２】
また、請求項５の発明は、デジタルカメラから送信される表示用画像を画面に表示可能な表示装置であって、前記表示用画像を記憶可能な記憶手段と、前記デジタルカメラから第１フレームレートで送信される前記表示用画像を、前記第１フレームレートで前記記憶手段に書き込む書込手段と、前記記憶手段に記憶された前記表示用画像を第２フレームレートで読み出して、前記第２フレームレートで前記画面に表示させる読出手段と、を備え、前記第１フレームレートは、前記第２フレームレートよりも低いことを特徴とする。
【００１３】
【発明の実施の形態】
以下、図面を参照しつつ本発明の実施の形態について説明する。
【００１４】
＜１．第１の実施の形態＞
＜１−１．デジタルカメラの構成＞
図１ないし図３は、本発明の実施の形態に係るデジタルカメラ１の要部構成を示す図であり、図１ないし図３はそれぞれ正面図、上面図および背面図に相当する。図１および図２に示すように、デジタルカメラ１は主としてカメラ本体部２と撮影レンズ３とから構成されている。
【００１５】
撮影レンズ３は複数のレンズ群を含むズームレンズとして構成され、その周縁部に設けられるズームリング３１を回転させることにより撮影倍率（焦点距離）を変更することが可能とされている。撮影レンズ３にはマクロ切り替えレバー３２が設けられており、マクロ切り替えレバー３２をスライドさせることによりマクロ撮影が可能となる。また、デジタルカメラ１ではシャッター方式として機械式が採用されており、撮影レンズ３の内部の適位置にはメカニカルシャッター（図示省略）が設けられている。
【００１６】
図１に示すように、カメラ本体部２の前面には、左端部にグリップ部４、右方上部に内蔵フラッシュ５がそれぞれ設けられ、また、図２に示すように、グリップ部４の上面にはシャッタボタン１１が設けられている。シャッタボタン１１は銀塩カメラで採用されているような半押し状態（Ｓ１状態）と全押し状態（Ｓ２状態）とが検出可能な２段階スイッチとなっている。なお、シャッタボタン１１の半押し操作（Ｓ１状態への操作）は、ＡＦ（オートフォーカス）制御を開始するためのトリガとなり、全押し操作（Ｓ２状態への操作）は、記録用画像を撮影するための撮影指示となる。
【００１７】
図２に示すように、カメラ本体部２の上面右方には、電源のオン／オフを切り替えるとともに、「撮影モード」、「再生モード」および「通信モード」の間で動作モードを切り替えるダイヤル式のメインスイッチ１５が設けられている。
【００１８】
撮影モードは、被写体の撮影を行い画像データ（以下適宜、単に「画像」ともいう。）を取得しメモリカード９に記録する動作モードである。再生モードは、メモリカード９に記録された画像データを読み出して再生表示する動作モードである。また、通信モードは、カメラ本体部２背面に設けられるＵＳＢ端子２７を介して外部のコンピュータに画像データを転送するなどの通信を行う動作モードである。
【００１９】
メインスイッチ１５の左方には、デジタルカメラ１の各種の設定情報を表示するデータパネル２１が設けられており、デジタルカメラ１の設定情報を容易に把握することができるようにされている。
【００２０】
また、デジタルカメラ１の側面上方には、各種項目を設定するためのファンクションダイヤル１６およびファンクションボタン１６ａが設けられている。ファンクションダイヤル１６によって設定を行う項目にセットした後、ファンクションボタン１６ａを押下しつつ、グリップ部４上部の選択ダイヤル１２を回転させることにより、セットされた項目の設定内容を順次変更することができる。
【００２１】
図３に示すように、カメラ本体部２の背面左方には、撮影待機状態においてリアルタイムな被写体像を表示するライブビュー表示、記録された画像データの再生表示および各種設定情報の表示等を行うための表示装置として、電子ビューファインダ（ＥＶＦ）２２およびＬＣＤ等で構成される背面モニタ２３が設けられている。ＥＶＦ２２は、比較的小さな液晶の表示パネルに表示される表示用画像を接眼レンズを介して視認可能にするものである。ＥＶＦ２２および背面モニタ２３は、例えばＱＶＧＡに対応した横３２０×縦２４０の表示画素を有している。
【００２２】
ＥＶＦ２２の表示と背面モニタ２３の表示とは、ＥＶＦ２２の右方のディスプレイ切り替えレバー１７の操作により切り替えを行うことができるようにされている。また、ディスプレイ切り替えレバー１７の中央部分は情報表示切り替えボタン１７ａとなっており、背面モニタ２３又はＥＶＦ２２に画像データが表示されているときに、設定情報等を同時に表示するか否かを切り替えることができるようになっている。
【００２３】
背面モニタ２３の右方にはメニューボタン１８および十字キー１９が設けられている。十字キー１９は上スイッチ１９Ｕ、下スイッチ１９Ｄ、左スイッチ１９Ｌおよび右スイッチ１９Ｒからなる４連スイッチ、並びに、中央ボタン１９Ｃから構成される。メニューボタン１８を押下すると背面モニタ２３に設定メニューが表示され、設定メニューを参照しつつ、十字キー１９を操作することによって、デジタルカメラ１の各種設定を行うことができる。
【００２４】
十字キー１９の下部には、クイックビュー／消去ボタン２０が設けられている。クイックビュー／消去ボタン２０は、撮影モードにおいては直前に撮影した画像データの簡易再生表示を行うクイックビューボタンとして機能し、再生モードにおいては再生している画像データをメモリカード９から消去する消去ボタンとして機能する。
【００２５】
カメラ本体部２の下部には電池室２４が設けられている。電池室２４は、電池室解放レバー２４ａでその蓋が解放され、４本の単三形乾電池が装填される。可搬性のデジタルカメラ１は、電池室２４に装填される単三形乾電池を通常の駆動源としているが、電池室２４の右方に設けられる電源入力端子２５を介して供給される外部からの直流電源を駆動源とすることも可能とされている。
【００２６】
電源入力端子２５の右方には、ビデオ端子２６が設けられており、外部のモニタに画像データを転送して表示させることができるようにされている。
【００２７】
また、カメラ本体部２の内部にはカードスロット２９が設けられ、カメラ本体部２の側面から画像データ等を記録するメモリカード９を挿入して装着できる。カードスロット２９の挿入口近傍には、メモリカード９へのアクセス中である旨を表示するためのアクセスランプ２８が配置される。
【００２８】
＜１−２．デジタルカメラの内部構成＞
図４は、デジタルカメラ１の主たる内部構成を機能ブロックとして示す図である。
【００２９】
ＣＣＤ４１は縦方向および横方向に２次元的な画素配列を有する撮像素子であり、例えば横２５６０×縦１９２０の画素を備えて構成される。ＣＣＤ４１は撮影レンズ３により結像された被写体の光像を画像信号（各画素で受光された画素信号の信号列からなる信号）に光電変換して出力する。ＣＣＤ４１の撮像面はベイヤー配列で各色成分に対応づけられた画素配列となっており、各画素はベイヤー配列に対応するＲ（赤），Ｇ（緑），Ｂ（青）のうちの各１色についての輝度成分を検出するように構成されている。
【００３０】
ＣＣＤ４１は、画像信号の出力モードとして、横２５６０×縦１９２０の全画素を有する画像データを出力するフレームモードと、縦方向（垂直方向）の画素を１／８に間引いた横２５６０×縦２４０の画素を有する解像度の低い画像データを出力するドラフトモードとを有している。ライブビュー用の簡易的な画像データを取得する際には高速化のためドラフトモードに、撮影指示後において記録用の画像データを取得する際には高精細な画像の取得が必要なためフレームモードにそれぞれ設定される。そしてＣＣＤ４１からは、横方向（水平方向）に並ぶ画素配列に従って順次画像信号が出力される。
【００３１】
信号処理回路４２は、ＣＣＤ４１から出力される画像信号（アナログ信号）に所定の信号処理を施すものである。信号処理回路４２は、ＣＤＳ（相関二重サンプリング）回路、ＡＧＣ（オートゲインコントロール）回路、Ａ／Ｄ変換器等をその内部に有し、ＣＤＳ回路により画像信号のノイズの低減を行い、ＡＧＣ回路のゲインを調整することにより画像信号のレベル調整を行う。さらに、Ａ／Ｄ変換器により、各画素ごとのアナログ信号を例えば１２ビットのデジタル信号に変換する。
【００３２】
なお、信号処理回路４２から出力される画像データは、各画素値がベイヤー配列に対応するＲＧＢのうちいずれかの色成分のみを有するベイヤー形式となる。この画像データは、デジタルカメラ１の内部のバスライン４５を介して転送され全体制御部５０に入力される。
【００３３】
タイミングジェネレータ４３は、全体制御部５０から入力される信号に基づき、ＣＣＤ４１および信号処理回路４２への駆動制御信号を生成し出力するものである。例えば、受光した光量の積分の開始や停止を指示するタイミング信号や、画像信号の出力制御信号（ドラフトモードやフレームモードへの出力モードの変更信号を含む）等の信号を生成し、ＣＣＤ４１および信号処理回路４２へ出力する。
【００３４】
デジタルカメラ１がライブビュー用の画像データを取得する際には、その取得のフレームレートが例えば３０ｆｐｓ（ｆｒａｍｅｓ  ｐｅｒ  ｓｅｃｏｎｄ）となるように（１／３０秒ごとに画像データを取得するように）、ＣＣＤ４１等に対して駆動制御信号を送出する。また、記録用の画像データを取得する際には、ＣＣＤ４１等が記録用画像を撮影するための駆動制御信号を送出する。
【００３５】
レンズ駆動部３３は、全体制御部５０から入力される信号に基づいて、撮影レンズ３に含まれるレンズ群、入射光量を調節する絞り、および、メカニカルシャッター等の駆動を行う。
【００３６】
レンズ駆動部３３が撮影レンズ３を駆動することにより、デジタルカメラ１における自動合焦制御（ＡＦ制御）が可能なように構成されている。ただし、撮影レンズ３をユーザがマニュアル操作することによって、被写体像を合焦状態に導くことも可能なように構成されている。つまり、デジタルカメラ１は、そのフォーカスモードとして、ＡＦ（オートフォーカス）モードとＭＦ（マニュアルフォーカス）モードとを切り換え可能なように構成されている。
【００３７】
操作部材１０は、上述したシャッタボタン１１、ファンクションダイヤル１６、メニューボタン１８、十字キー１９等を含むものである。ユーザが操作部材１０に対して操作を行った場合、その操作内容は、信号として全体制御部５０に入力される。また、操作部材１０によって設定された情報は、全体制御部５０内のＲＡＭ５３などに記憶される。
【００３８】
全体制御部５０は、デジタルカメラ１の装置全体を統括制御する制御機能を有するとともに、各種データ処理を行うデータ処理機能をも有し、マイクロコンピュータを備えて構成されている。具体的には、その本体部であるＣＰＵ５１、制御プログラムなどを記憶するＲＯＭ５２、作業領域となるＲＡＭ５３を備えており、それぞれをバスライン４５によって接続した構成となっている。さらに、全体制御部５０は、バスコントローラ５４、画像処理部５５、ビデオコントローラ５６、圧縮部５７、メモリカードコントローラ５８およびシリアルインターフェース（Ｉ／Ｆ）５９を備えており、これらも同一のバスライン４５を介して接続される。
【００３９】
バスコントローラ５４は、各種画像データを格納する画像メモリ４４と接続されており、全体制御部５０の各処理部と画像メモリ４４との間のバスライン４５を介しての転送を制御するものである。バスコントローラ５４は、バスライン４５を介しての転送の要求が複数存在する場合は、それらを調停してそれぞれの要求を満たすアービトレーション機能を備えている。
【００４０】
また、バスコントローラ５４は、ＤＭＡコントローラとしての機能も有しており、全体制御部５０の各処理部からの要求に応じて、要求を行った処理部と画像メモリ４４と間でＣＰＵ５１の処理を介さない直接的な画像データの転送（いわゆるＤＭＡ転送）を行う。
【００４１】
画像処理部５５は、ＣＣＤ４１で取得された画像データに対して各種の画像処理を行うように構成される。図５は、画像処理部５５で実現される機能をそれぞれ機能ブロックとして示す図である。図５に示すように、画像処理部５５の主たる機能は、データ補正部５５１、色補間変換部５５２および表示画像生成部５５３として表現される。
【００４２】
データ補正部５５１は、画像データに対して、黒レベル補正、ホワイトバランス補正およびγ補正等の各種補正処理を施す。ＣＰＵ５１により設定されるパラメータに基づいて、画像データごとに適切な補正処理が行われる。
【００４３】
色補間変換部５５２は、ベイヤー形式の画像データの各画素がＲＧＢ全ての色成分についてのデータを有するように画素補間処理を行う。さらに、撮影指示が与えられたときに得られる記録用の画像データを扱う際には、ＲＧＢ値で表現された各画素値を、輝度成分と色差成分とからなるＹＣｒＣｂ値に変換する。これにより、色補間変換部５５２からは、ライブビュー表示を行う際にはＲＧＢ形式の画像が出力され、記録用の画像データを扱う際にはＹＣｒＣｂ形式の画像データが出力される。
【００４４】
表示画像生成部５５３は、入力される画像データの解像度を変換して、ライブビュー表示などに用いるための表示用画像を生成する。ライブビュー表示を行う際には、上述のように、ＣＣＤ４１がドラフトモードに設定され、横２５６０×縦２４０の画像サイズを有する画像データが読み出される。表示画像生成部５５３は、横方向に１／８間引きを行うことで、この画像データをＥＶＦ２２あるいは背面モニタ２３で表示可能な解像度に変換し、ＲＧＢ形式で横３２０×縦２４０画素からなる表示用画像をライブビュー画像として生成する。
【００４５】
図４に戻り、圧縮部５７は、ＹＣｒＣｂ形式の記録用の画像データに対して、ファンクションダイヤル１６等により設定される「画像圧縮率」に基づいてＪＰＥＧ方式等により圧縮処理を行う。これとともに、圧縮されてメモリカード９に記録された画像データの伸張処理を行う。
【００４６】
ビデオコントローラ５６は、ライブビュー画像などの表示用画像を、画像信号として制御信号とともにＥＶＦ２２あるいは背面モニタ２３に出力する。いずれの表示装置に送信するかは、ディスプレイ切り替えレバー１７の設定に基づく。また、ビデオコントローラ５６は外部のディスプレイ７に対する画像信号の出力も行うように構成されている。ビデオ端子２６にビデオケーブル８を介して外部のディスプレイ７が接続された場合には、外部のディスプレイ７に画像信号が制御信号とともに出力される。
【００４７】
ＥＶＦ２２は全体制御部５０とは別ユニットとして構成され、ＥＶＦ２２と全体制御部５０とはデジタルカメラ１の内部においてフレキシブル基板等によって形成される伝送路６０を介して互いに電気的に接続された状態となっている。
【００４８】
図６はＥＶＦ２２の構成を示すブロック図である。図に示すように、ＥＶＦ２２は、表示制御部２２０と第１メモリ２２１と第２メモリ２２２と表示パネル２２３と光源２２４と接眼レンズ２２５とを備えている。全体制御部５０から出力される表示用画像（画像信号）ＷＤは、表示制御部２２０の制御により表示パネル２２３に表示され、ユーザは表示パネル２２３に表示された画像を、接眼レンズ２２５により拡大された状態で視認することができるようになっている。
【００４９】
表示パネル２２３は、例えばＬＣＯＳ（Ｌｉｑｕｉｄ  Ｃｒｙｓｔａｌ  ｏｎ  Ｓｉｌｉｃｏｎ）タイプの反射型の液晶表示素子で構成されており、その表示方式には、Ｒ（赤），Ｇ（緑），Ｂ（青）の各原色の画像（以下、「フィールド」という。）を、時間的に切り替えつつ表示する面順次方式が採用されている。すなわち、表示パネル２２３には、ＲＧＢ形式のカラーの表示用画像を表示する際に、Ｒのみを示すフィールド、Ｇのみを示すフィールド、および、Ｂのみを示すフィールドが、１フレームの表示用画像の表示周期の１／３の周期ごとに順次に表示される。また、これらのフィールドの表示と同期して、光源２２４が備えるそれぞれ原色光を発する３つのＬＥＤ（赤色ＬＥＤ２２４ｒ、緑色ＬＥＤ２２４ｇおよび青色ＬＥＤ２２４ｂ）が選択的に順次に表示パネル２２３に対して発光される。そして、このような動作を比較的高速に行うことで、人間の眼の残像現象により、ユーザにカラーの画像が視認される。本実施の形態では、表示のフレームレート（表示パネル２２３の画面を１秒あたりに更新する回数：以下、「画像表示レート」という。）は９０ｆｐｓとされているため、１フレームの表示用画像の表示周期は１／９０秒、１フィールドの表示周期は１／２７０秒となっている。
【００５０】
表示パネル２２３の表示は表示制御部２２０により制御される。表示制御部２２０は、全体制御部５０から出力される表示用画像ＷＤを２つのメモリ２２１，２２２のいずれか一方に書き込むとともに、２つのメモリ２２１，２２２のいずれか一方からフィールドＲＤを読み出して表示パネル２２３に表示させる。
【００５１】
第１メモリ２２１および第２メモリ２２２は、それぞれ１フレームの表示用画像を記憶可能な記憶容量を有している。これらの２つのメモリ２２１，２２２は、表示制御部２２０から出力されるチップセレクト信号（ＣＳ）により、いずれか一方が選択的に書込対象、あるいは、読出対象とされる。
【００５２】
表示制御部２２０には、全体制御部５０のビデオコントローラ５６から、表示用画像（画像信号）ＷＤの他、制御信号として同期信号（Ｓｙｎｃ）および画像書込信号（Ｗｒｉｔｅ  Ｓｉｇ）が入力される。同期信号（Ｓｙｎｃ）には、垂直同期信号（ＨＤ）、水平同期信号（ＶＤ）および画素同期信号（ＳＣＬＫ）が含まれている。ここで、垂直同期信号（ＨＤ）は１／３０秒ごとのパルス信号であり、本来は１フレームの表示用画像ＷＤを送信する周期を示している。ただし、本実施の形態では、この周期に必ずしも表示用画像ＷＤが送信されるわけではない。一方、画像書込信号（Ｗｒｉｔｅ  Ｓｉｇ）は、表示用画像の第１メモリ２２１または第２メモリ２２２への書込を有効とするか否かを示す信号である。
【００５３】
また、表示制御部２２０からは、２つのメモリ２２１，２２２のいずれかから読み出されるフィールドＲＤの他、表示用同期信号（ＤＳＰ  Ｓｙｎｃ）が表示パネル２２３に出力される。表示用同期信号（ＤＳＰ  Ｓｙｎｃ）には、表示用垂直同期信号（ＤＳＰ  ＶＤ）およびフィールド同期信号（ＤＳＰ  ＦＳ）が含まれている。表示用垂直同期信号（ＤＳＰ  ＶＤ）は１／９０秒ごとのパルス信号であり、１フレームの表示用画像の表示周期を示している。また、表示用垂直同期信号（ＤＳＰ  ＶＤ）は１／２７０秒ごとのパルス信号であり、１フィールドの表示周期を示している。これらの表示用同期信号（ＤＳＰ  Ｓｙｎｃ）は、全体制御部５０から出力される同期信号（Ｓｙｎｃ）とは同期せず、独立して発生される。
【００５４】
図４に戻り、メモリカードコントローラ５８は、デジタルカメラ１に装着されるメモリカード９とのデータの入出力を制御する。画像データを記録する際には、所定形式の名称を付して画像ファイルとして記録する。
【００５５】
上述したタイミングジェネレータ４３、レンズ駆動部３３および操作部材１０は、それぞれシリアルインターフェース５９を介して、バスライン４５に電気的に接続される。これにより、ＣＰＵ５１は、これらの部材に対して各種信号を送信して制御を行う一方、これらの部材から出力される各種信号を受信することができる。
【００５６】
画像メモリ４４は、全体制御部５０の各処理部においてそれぞれ処理された画像データを一時的に記憶する領域である。例えば、ライブビュー表示が行われる際には、ＣＣＤ４１で取得された画像データが読み出されて画像メモリ４４に一旦格納される。そして、画像処理部５５が画像メモリ４４から画像データを取得してライブビュー画像を生成し、再び画像メモリ４４に格納する。その後、ビデオコントローラ５６がライブビュー画像を取得し、それをＥＶＦ２２等に送出することで、ライブビュー表示が実現される。
【００５７】
ディスプレイ切り替えレバー１７によりＥＶＦ２２にライブビュー表示を行う設定になっている場合は、ＣＣＤ４１にて画像を取得し、ライブビュー画像を生成してＥＶＦ２２に送出するフレームレート（以下「画像生成レート」という。）が、ＥＶＦ２２の表示モードに応じて変更される。この表示モードには、画像生成レートが比較的高い「高速表示モード」と、画像生成レートが比較的低い「低速表示モード」とがある。
【００５８】
全体制御部５０によるデジタルカメラ１の統括的な各種制御は、ＲＯＭ５２に記憶される制御プログラムに従って、ＣＰＵ５１が演算動作を行うことにより行われる。このような制御プログラムによって実現される機能としては、デジタルカメラ１の上述した各部の動作制御の他、絞り値、シャッタースピードなどの露出条件を決定する露出制御、撮影レンズ３のレンズ群の合焦位置を決定するＡＦ制御、画像処理部５５における各種パラメータを決定する画像処理制御などが含まれる。
【００５９】
なお、このような制御プログラムは、記録媒体であるメモリカード（制御プログラムを記憶したもの）９から読み出して、新たに格納（インストール）することも可能とされている。
【００６０】
＜１−３．撮影モードにおける表示動作＞
次に、デジタルカメラ１の撮影モードにおける表示動作について説明する。図７は、撮影モードにおける表示動作を示すフローチャートである。なお、以下の説明においては、ディスプレイ切り替えレバー１７により、ＥＶＦ２２にライブビュー表示を行う設定になっているものとする。
【００６１】
デジタルカメラ１は撮影モードに設定されると、まず、フォーカスモードとして、ＡＦモードが設定されているか、ＭＦモードが設定されているかを判断する（ステップＳＴ１）。そしてＡＦモードが設定されている場合には、ステップＳＴ２に進み、ＭＦモードが設定されている場合にはステップＳＴ７に進む。
【００６２】
ＡＦモードの場合は、ＣＣＤ４１がドラフトモードに設定されて撮影待機状態となり、ライブビュー表示が開始される。このときＥＶＦ２２の表示モードは「低速表示モード」に設定され、画像生成レートが比較的低い状態でライブビュー表示が行われる（ステップＳＴ２）。このライブビュー表示は、シャッタボタン１１がＳ１状態（半押し状態）とされるまでの間繰り返される（ステップＳＴ３）。
【００６３】
次に、シャッタボタン１１がＳ１状態（半押し状態）とされると（ステップＳＴ３にてＹＥＳ）、デジタルカメラ１はＡＦ制御を開始する。このとき、ＥＶＦ２２の表示モードは「高速表示モード」に設定され、画像生成レートが比較的高い状態でライブビュー表示が行われる（ステップＳＴ４）。
【００６４】
次に、シャッタボタン１１がＳ２状態（全押し状態）とされ、撮影処理が終了すると（ステップＳＴ５にてＹＥＳ）、デジタルカメラ１は再び撮影待機状態に移行する。このときＥＶＦ２２の表示モードは再び「低速表示モード」に設定され、画像生成レートが比較的低い状態でライブビュー表示が行われるように内部設定が変更される（ステップＳＴ６）。
【００６５】
そしてユーザが撮影モードから他のモードに切り替え操作を行ったか否かが判断され（ステップＳＴ８）、撮影モードが終了した場合には、他の動作モードへと移行する（ステップＳＴ９）。これに対し、ユーザがモードの切り替え操作を行っていない場合には、ステップＳＴ１に戻り、上記動作が繰り返される。
【００６６】
一方、ステップＳＴ１においてＭＦモードが設定されていた場合には、シャッタボタン１１の操作に係わらず、ＥＶＦ２２の表示モードは「高速表示モード」に設定される（ステップＳＴ７）。これにより、画像生成レートが比較的高い状態でライブビュー表示が行われる。そして以降、ステップＳＴ８，ＳＴ９へと進みＡＦモードと同様の処理がなされる。
【００６７】
このようにＥＶＦ２２の表示モードは、全体制御部５０のＡＦ制御あるいはマニュアル操作により合焦動作を行う場合には、画像生成レートが比較的高い「高速表示モード」に設定され、合焦動作を行わない場合は、画像生成レートが比較的低い「低速表示モード」に設定される。
【００６８】
画像生成レートが比較的高いと、ライブビュー表示において被写体の状態の変化を把握することが容易となる。合焦動作を行う場合には、ユーザは被写体の合焦状態の変化を把握する必要があるため、この場合は「高速表示モード」にすることで、このような要求に応えることができる。一方、合焦動作を行わない場合には、画像生成レートを低くすることで、デジタルカメラの負荷を低下させることができる。つまり、本実施の形態のデジタルカメラ１では、必要に応じて画像生成レートを最適に設定し、デジタルカメラの負荷を低下するようにしているわけである。
【００６９】
本実施の形態のデジタルカメラ１では、このような画像生成レートの変更を行う場合であっても、画像表示レートを変更させる必要はない。これは、ＥＶＦ２２に対して送出されたライブビュー画像が、一旦、ＥＶＦ２２内のメモリ２２１，２２２に格納された後、メモリ２２１，２２２から読み出された後に表示パネル２２３に表示されるため、「画像生成レート」と「画像表示レート」とが相互に拘束されないからである。以下、ライブビュー表示中のＥＶＦ２２内の動作について、「低速表示モード」と「高速表示モード」とのそれぞれについて説明する。
【００７０】
＜１−３−１．低速表示モード＞
まず、「低速表示モード」について説明する。図８は、「低速表示モード」におけるＥＶＦ２２内の動作を説明するためのタイムチャートである。図８において符号Ｔ１ないしＴ７はそれぞれ時点を示している。また、上段は全体制御部５０から表示制御部２２０に出力される信号、すなわち、垂直同期信号（ＶＤ）、画像書込信号（Ｗｒｉｔｅ  Ｓｉｇ）および表示用画像（この場合は、ライブビュー画像）のそれぞれの状態を示している。また、中段は、表示制御部２２０から表示パネル２２３に出力される信号、すなわち、表示用垂直同期信号（ＤＳＰＶＤ）、フィールド同期信号（ＤＳＰ  ＦＳ）およびフィールドのそれぞれの状態を示している。さらに、下段は、時点Ｔ１からＴ２までの図中符号Ａ１で示す部分を拡大して示している。「低速表示モード」においてＥＶＦ２２は、時点Ｔ１ないし時点Ｔ７の動作を時間的に連続して繰り返すこととなる。
【００７１】
垂直同期信号（ＶＤ）のパルスは、１／３０秒の周期で与えられる。また、画像書込信号（Ｗｒｉｔｅ  Ｓｉｇ）は、この垂直同期信号（ＶＤ）の３倍の１／１０秒の周期で１／３０秒間”Ｈ”とされる。そして、この画像書込信号（Ｗｒｉｔｅ  Ｓｉｇ）が”Ｈ”となるごとに、全体制御部５０からライブビュー画像が出力される。つまり、「低速表示モード」においては全体制御部５０で１／１０秒ごとにライブビュー画像が生成され、「画像生成レート」は１０ｆｐｓとされる。
【００７２】
画像書込信号（Ｗｒｉｔｅ  Ｓｉｇ）が”Ｈ”となると、ライブビュー画像が２つのメモリ２２１，２２２のいずれかを書込対象として表示制御部２２０により書き込まれる。この書込対象としては、２つのメモリ２２１，２２２が交互に表示制御部２２０により選択される。すなわち、第１メモリ２２１が最初の書込対象とされた場合は、次回は第２メモリ２２２が書込対象、さらに次回は第１メモリ２２１が書込対象…と交互に書込対象が変更される。
【００７３】
一方、前述したように「画像表示レート」は９０ｆｐｓとされており、表示用垂直同期信号（ＤＳＰ  ＶＤ）のパルスは１／９０秒の周期で発生され、フィールド同期信号（ＤＳＰ  ＦＳ）のパルスは１／２７０秒の周期で発生される。そして、フィールド同期信号（ＤＳＰ  ＦＳ）に同期して、Ｒのフィールド、Ｇのフィールド、Ｂのフィールドが順次に２つのメモリ２２１，２２２のいずれかを読出対象として読み出されて表示パネル２２３に表示される。
【００７４】
この動作においては、１０ｆｐｓの「画像生成レート」よりも高い９０ｆｐｓの「画像表示レート」でＥＶＦ２２の画面を更新するようにしているが、ライブビュー画像は、２つのメモリ２２１，２２２に書き込まれて記憶された後、このメモリ２２１，２２２から読出されることとなるため、「画像生成レート」と「画像表示レート」とは相互に拘束されない。したがって、「画像表示レート」に係わらず「画像生成レート」を低下させることができるわけである。本実施の形態では「画像生成レート」を「画像表示レート」よりも低い１０ｆｐｓとしている。このため、デジタルカメラの負荷を効果的に低下させることができ、デジタルカメラ１の動作速度を向上させることができるとともに、消費電力を低下させることができることとなる。
【００７５】
また、「画像生成レート」が低下しても「画像表示レート」は低下されないため、本実施の形態のように表示方式として面順次方式を採用している場合は、原色の残像が認識されるカラーブレイクを防止することができることとなる。さらには、「画像生成レート」に係わらず「画像表示レート」を上昇させることも可能であり、この場合はカラーブレイクの発生をより効果的に防止することができる。
【００７６】
フィールドの読出対象としては、２つのメモリ２２１，２２２のうち直近にライブビュー画像の書き込みが完了したものが選択される。より具体的には、時点Ｔ１から時点Ｔ２までは、第１メモリ２２１に書込を行っているため、第２メモリ２２２が読出対象とされる。そして、第１メモリ２２１に書込が完了した時点Ｔ２以降、第２メモリ２２２に書込が完了する時点Ｔ５までは、第１メモリ２２１が読出対象とされる。そして、第２メモリ２２２に書込が完了した時点Ｔ５以降は、再び、第２メモリ２２２が読出対象とされる。
【００７７】
１つのメモリのみを同時に書込対象および読出対象とすると、ＥＶＦ２２の画面上においてデータの更新済の領域と未更新の領域とで相違する被写体像が表示されたり、被写体像が相違するフィールドが読出されることによりカラーブレイクに近似する現象が生じる可能性がある。本実施の形態のように、２つのメモリ２２１，２２２を交互に書込対象とするとともに、２つのメモリ２２１，２２２のうち直近に書き込みを完了したものからライブビュー画像（正確にはフィールド）を読み出すようにすることで、画面全体を最新のライブビュー画像に一括して更新することができ、このような現象を防止することができる。
【００７８】
＜１−３−２．高速表示モード＞
次に、「高速表示モード」について説明する。図９は、「高速表示モード」におけるＥＶＦ２２内の動作を説明するためのタイムチャートである。図８と同様に、図９において符号Ｔ１１ないしＴ１７はそれぞれ時点を示し、上段は全体制御部５０から表示制御部２２０に出力される信号の状態を示し、中段は表示制御部２２０から表示パネル２２３に出力される信号の状態を示し、下段は時点Ｔ１１からＴ１２までの図中符号Ａ２で示す部分を拡大して示している。「高速表示モード」においてＥＶＦ２２は、時点Ｔ１１ないし時点Ｔ１７の動作を時間的に連続して繰り返すこととなる。
【００７９】
垂直同期信号（ＶＤ）のパルスは「低速表示モード」と同様に１／３０秒の周期で与えられる。一方、画像書込信号（Ｗｒｉｔｅ  Ｓｉｇ）は、この垂直同期信号（ＶＤ）と同一の１／３０秒の周期で１／３０秒間”Ｈ”とされる。そして、この画像書込信号（Ｗｒｉｔｅ  Ｓｉｇ）が”Ｈ”となるごとに、全体制御部５０からライブビュー画像が出力される。つまり、「高速表示モード」においては、全体制御部５０で１／３０秒ごとにライブビュー画像が生成され、「画像生成レート」は３０ｆｐｓとされる。表示画像の書込対象としては、「低速表示モード」と同様に、２つのメモリ２２１，２２２が交互に表示制御部２２０により選択される。
【００８０】
一方、「画像表示レート」は「低速表示モード」と同様に９０ｆｐｓとされ、表示用垂直同期信号（ＤＳＰ  ＶＤ）のパルスは１／９０秒の周期で発生され、フィールド同期信号（ＤＳＰ  ＦＳ）のパルスは１／２７０秒の周期で発生される。そして、フィールド同期信号（ＤＳＰ  ＦＳ）に同期して、Ｒのフィールド、Ｇのフィールド、Ｂのフィールドが順次に２つのメモリ２２１，２２２のうち直近に書込が完了したものが読出対象とされて読み出されて表示パネル２２３に表示される。
【００８１】
この動作においても、「画像生成レート」と「画像表示レート」とは相互に拘束されないため、「画像生成レート」を「画像表示レート」よりも低い３０ｆｐｓとしている。これにより、「低速表示モード」よりは効果は限定されるが、「画像表示レート」を低下させることなく、デジタルカメラの負荷を低下させることが可能である。その一方で、「高速表示モード」においては、「画像生成レート」が「低速表示モード」の１０ｆｐｓよりも高い３０ｆｐｓとされるため、ＥＶＦ２２に表示される画像を１／３０秒ごとに更新することができ、ユーザは被写体の状態の変化を容易に把握することができる。したがって、上述したように合焦動作を行う場合に「高速表示モード」とすることで、被写体の合焦状態が実現されているか否かを判断するという要求に効果的に応えることができる。
【００８２】
以上、第１の実施の形態について説明を行ったように、本実施の形態のデジタルカメラ１においては、「画像生成レート」で生成される表示用画像は、一旦、メモリ２２１，２２２に書き込まれて記憶された後、メモリ２２１，２２２から「画像表示レート」で読み出されて表示パネル２２３に表示される。このため、「画像生成レート」と「画像表示レート」とが相互に拘束されなくなる。そして、「画像表示レート」よりも「画像生成レート」を低くするため、「画像表示レート」を低下させることなく、デジタルカメラの負荷を低下させることができる。
【００８３】
また、面順次方式においては「画像表示レート」が低下すると原色の残像が認識されるカラーブレイクが発生するが、本実施の形態のデジタルカメラ１では「画像生成レート」を低下させても「画像表示レート」は低下しないため、カラーブレイクの発生を防止することができる。
【００８４】
また、ＥＶＦ２２は、表示パネル２２３と、表示パネル２２３に対して複数の原色光を選択的に順次に発光する光源２２４とを備えているため、複数の原色光を同時に発光する場合よりも、消費電力を低下させることができる。
【００８５】
また、表示制御部２２０は、２つのメモリ２２１，２２２を交互に書込対象として表示用画像の書き込みを行うとともに、２つのメモリ２２１，２２２のうち直近に書き込みを完了した記憶領域から表示用画像を読み出して、表示パネル２２３に表示させる。これによりＥＶＦ２２の画面全体を、最新の表示用画像に一括して更新することができる。
【００８６】
＜２．第２の実施の形態＞
次に、本発明の第２の実施の形態について説明する。第１の実施の形態においては、デジタルカメラ１が備える表示装置（ＥＶＦ２２）に表示用画像を表示させる場合について説明を行ったが、本実施の形態では、外部の表示装置に表示用画像を表示させる場合について説明する。
【００８７】
図１０は、デジタルカメラ１で得られる画像を、外部の表示装置であるディスプレイ７に表示させる表示システム１００の概略構成を示す図である。図に示すように、表示システム１００はデジタルカメラ１とディスプレイ７とを備えており、デジタルカメラ１とディスプレイ７とは、それぞれのビデオ端子２６，７６にビデオケーブル８を装着することにより電気的に接続されている。デジタルカメラ１としては、第１の実施の形態と同様のものを用いることができる。このような構成により、デジタルカメラ１の全体制御部５０から、画像信号ＷＤおよび制御信号（Ｓｙｎｃ，Ｗｒｉｔｅ  Ｓｉｇ）をディスプレイ７に送信することが可能となっている。
【００８８】
ディスプレイ７は、制御部７０と第１メモリ７１と第２メモリ７２と表示パネル７３と光源７４とを備えている。デジタルカメラ１から出力される表示用画像（画像信号）ＷＤは、制御部７０の制御により表示パネル７３に表示され、ユーザは表示パネル７３に表示された画像を視認することができるようになっている。
【００８９】
表示パネル７３は、例えば、透過型の液晶表示素子で構成されており、その表示方式には面順次方式が採用されている。また、表示パネル７３に対する光源７４としては、３つのＬＥＤ（赤色ＬＥＤ７４ｒ、緑色ＬＥＤ７４ｇおよび青色ＬＥＤ７４ｂ）を備え、ＲＧＢの３つの原色光を選択的に順次に発光可能なものが採用されている。
【００９０】
表示パネル７３の表示は制御部７０により制御される。制御部７０は、デジタルカメラ１から出力される表示用画像ＷＤを２つのメモリ７１，７２のいずれか一方に書き込むとともに、２つのメモリ７１，７２のいずれか一方からフィールドＲＤを読み出して表示パネル７３に表示させる。第１メモリ７１および第２メモリ７２は、それぞれ１フレームの表示用画像を記憶可能な記憶容量を有している。これらの２つのメモリ７１，７２は、制御部７２から出力されるチップセレクト信号（ＣＳ）により、いずれか一方が選択的に書込対象、あるいは、読出対象とされる。
【００９１】
制御部７２には、第１の実施の形態のＥＶＦ２２に入力される信号と同様の信号が、デジタルカメラ１から入力される。すなわち、表示用画像（画像信号）ＷＤの他、制御信号として同期信号（Ｓｙｎｃ）および画像書込信号（ＷｒｉｔｅＳｉｇ）が入力される。また、制御部７０からは、２つのメモリ７１，７２のいずれかから読み出されるフィールドＲＤの他、表示用同期信号（ＤＳＰ  Ｓｙｎｃ）が表示パネル２２３に出力される。表示用同期信号（ＤＳＰ  Ｓｙｎｃ）は、第１の実施の形態の表示用同期信号（ＤＳＰ  Ｓｙｎｃ）と同様のものであり、第１の実施の形態と同様に表示用垂直同期信号（ＤＳＰ  ＶＤ）およびフィールド同期信号（ＤＳＰ  ＦＳ）が含まれている。
【００９２】
このようにディスプレイ７は、第１の実施の形態のＥＶＦ２２に略相当する構成を備えており、また、制御部７０に入出力される信号も、第１の実施の形態のＥＶＦ２２の表示制御部２２０に入出力される信号と同様である。このため、デジタルカメラ１が第１の実施の形態と同様の動作を行う場合は、ディスプレイ７は第１の実施の形態のＥＶＦ２２の動作とほぼ同様の動作を行うこととなる。すなわち、「低速表示モード」においては図８に示す動作を行い、「高速表示モード」においては図９に示す動作を行うこととなる。
【００９３】
したがって、本実施の形態においても、表示用画像は２つのメモリ７１，７２のいずれかに一旦記憶された後、２つのメモリ７１，７２から読み出されてディスプレイ７の画面（表示パネル７３）に表示される。このため、デジタルカメラ１が表示用画像を送信するフレームレートと、ディスプレイ７が画面を更新するフレームレートとが相互に拘束されなくなる。そして、ディスプレイ７のフレームレートよりもデジタルカメラ１が表示用画像を送信するフレームレートを低下させることができ、本実施の形態のように外部のディスプレイ７に表示用画像を表示させる場合であっても、ディスプレイ７のフレームレートを低下させることなく、デジタルカメラの負荷を低下させることができる。
【００９４】
また、本実施の形態のディスプレイ７も表示方式に面順次方式が採用されているが、デジタルカメラ１が表示用画像を送信するフレームレートを低下させても、ディスプレイ７のフレームレートを低下させることはないため、カラーブレイクの発生を防止することができる。
【００９５】
＜３．変形例＞
以上、本発明の実施の形態について説明してきたが、この発明は上記実施の形態に限定されるものではなく様々な変形が可能である。
【００９６】
例えば、上記第１の実施の形態においては、デジタルカメラ１のＥＶＦ２２において表示用画像を表示する場合について説明を行ったが、背面モニタ２３において表示用画像を表示する場合に上記ＥＶＦ２２と同様の動作を背面モニタ２３が行うようにしてもよい。すなわち、背面モニタ２３においても、表示制御部と２つのメモリとを備えるようにし、全体制御部５０から送信される表示用画像を一旦メモリに記憶させた後、メモリから表示用画像を読み出すようにすれば、上記ＥＶＦ２２に表示する場合と同様の効果を得ることができる。
【００９７】
また、上記第１の実施の形態においては、表示パネル２２３は、ＬＣＯＳタイプの反射型の液晶表示素子であるものとしていたが、ＣＲＴ、ＬＣＤ、有機ＥＬなどの他のタイプのものであってもよい。
【００９８】
また、上記第１の実施の形態においては、１フレームの表示用画像を記憶可能な記憶領域を確保するために２つのメモリを使用するようにしていたが、例えば、１つのメモリ内において２つのバンク（領域）を確保し、この２つのバンクを上記２つのメモリと同様に使用してもよい。
【００９９】
また、上記第１の実施の形態においては、ＥＶＦ２２内の表示制御部２２０が２つのメモリ２２１，２２２に対する書込および読出の制御を担っていたが、全体制御部５０などの他の制御部がこの制御を担うようにしてもよい。
【０１００】
また、上記第１の実施の形態においては、全体制御部５０からＥＶＦ２２に対してＲＧＢ形式の表示用画像を一括して送信するようにしていたが、ＲＧＢのフィールドごとに送信するようにしてもよい。この場合は、ＥＶＦ２２に対して、垂直同期信号（ＶＤ）の１／３の周期でフィールド同期信号（ＦＳ…上記ＤＳＰＦＳとは別のもの。）を送信し、このフィール同期信号に同期してフィールドを送信すればよい。
【０１０１】
また、上記実施の形態では、デジタルカメラ１は静止画を取得するスチルカメラとして説明していたが、動画像を取得するカムコーダやビデオカメラであってもよい。
【０１０２】
また、上記実施の形態では、撮影モードにおいてライブビュー画像を表示装置に表示させる場合について説明を行ったが、再生モードにおいて記録画像から得られる表示用画像を表示装置に表示させる場合においても、ＥＶＦ２２に同様の動作を行わせるようにしてもよい。この場合は、一度、表示用画像を生成してＥＶＦ２２内の２つのメモリ２２１，２２２のいずれかに記憶してしまえば、再び表示用画像を生成させる必要はない。つまり、「画像生成レート」を０にすることができ、デジタルカメラ１の負荷を極力低下させることができる。
【０１０３】
◎なお、上述した具体的実施の形態には以下の構成を有する発明が含まれている。
【０１０４】
（１）  請求項１ないし４のいずれかに記載のデジタルカメラにおいて、
光学系の合焦動作を行う合焦手段、
をさらに備え、
前記第１フレームレートは、
前記合焦手段が能動化した場合に、比較的高く設定され、
前記合焦手段が非能動化した場合に、比較的低く設定されることを特徴とするデジタルカメラ。
【０１０５】
合焦動作を行う際にはユーザが被写体像の合焦状態の変化を把握する必要があるため、表示用画像を生成する第１フレームレートが比較的高く設定される。一方、合焦動作を行わない場合は、ユーザが被写体像の合焦状態の変化を把握する必要が少ないため、第１フレームレートが比較的低く設定される。この結果、必要に応じてフレームレートが最適に設定され、デジタルカメラの負荷を良好に低下させつつ、表示における視認性を向上させることができる。
【０１０６】
【発明の効果】
以上、説明したように、請求項１の発明によれば、表示用画像は記憶手段に一旦記憶された後、記憶手段から読み出されて表示手段の画面に表示される。このため、表示用画像を生成する第１フレームレートと、表示手段が画面を更新する第２フレームレートとが相互に拘束されなくなる。そして、表示手段の第２フレームレートよりも表示用画像を生成する第１フレームレートを低くするため、表示手段の第２フレームレートを低下させることなく、デジタルカメラの負荷を低下させることができる。
【０１０７】
また、請求項２の発明によれば、面順次方式の表示手段の第２フレームレートが低下すると、原色の残像が認識されるカラーブレイクが発生するが、表示用画像を生成するフレームレートを低下させても表示手段の第２フレームレートは低下しないため、カラーブレイクの発生を防止することができる。
【０１０８】
また、請求項３の発明によれば、複数の原色光を選択的に順次に発光させるため、複数の原色光を同時に発光する場合よりも、消費電力を低下させることができる。
【０１０９】
また、請求項４の発明によれば、表示手段の画面全体を、最新の表示用画像に一括して更新することができる。
【０１１０】
また、請求項５の発明によれば、表示用画像は記憶手段に一旦記憶された後、記憶手段から読み出されて表示手段の画面に表示される。このため、デジタルカメラが表示用画像を送信する第１フレームレートと、表示装置が画面を更新する第２フレームレートとが相互に拘束されなくなる。そして、表示装置の第２フレームレートよりもデジタルカメラが表示用画像を送信する第１フレームレートを低下させているため、表示装置のフレームレートを低下させることなく、デジタルカメラの負荷を低下させることができる。
【図面の簡単な説明】
【図１】デジタルカメラの要部構成を示す正面図である。
【図２】デジタルカメラの要部構成を示す上面図である。
【図３】デジタルカメラの要部構成を示す背面図である。
【図４】デジタルカメラの内部構成を機能ブロックとして示す図である。
【図５】画像処理部で実現される機能をそれぞれ機能ブロックとして示す図である。
【図６】ＥＶＦの構成を示すブロック図である。
【図７】撮影モードにおける表示動作の流れを示す図である。
【図８】低速表示モードにおけるＥＶＦの動作を説明するための図である。
【図９】高速表示モードにおけるＥＶＦの動作を説明するための図である。
【図１０】デジタルカメラで得られる画像を表示装置に表示させる表示システムの概略構成を示す図である。
【符号の説明】
１      デジタルカメラ
７      ディスプレイ
２２      ＥＶＦ
５０      全体制御部
２２０      表示制御部
２２１      第１メモリ
２２２      第２メモリ
２２３      表示パネル
２２４      光源
【図１】
2004215145.tif 000003
【図２】
2004215145.tif 000004
【図３】
2004215145.tif 000005
【図４】
2004215145.tif 000006
【図５】
2004215145.tif 000007
【図６】
2004215145.tif 000008
【図７】
2004215145.tif 000009
【図８】
2004215145.tif 000010
【図９】
2004215145.tif 000011
【図１０】
2004215145.tif 000012